(57)【要約】      （修正有）【課題】ユーザーが、ワンアクションで所望のユーザーグループメンバーの端末である相手側端末へ向けて簡単に発信して電話をかけることができる組織アドレス帳システムを提供する。【解決手段】組織アドレス帳システム１００は、サーバ１１０とユーザー端末１２０とを備える。ユーザー端末の表示部１２１に表示されるブラウザ１２２が、サーバのデータベース１１１に基づいてユーザーグループメンバーの連絡先情報を有した組織アドレスリスト画面１２３を表示し、組織アドレスリスト画面が、ユーザーグループメンバーの名前情報１２３ａと、各名前情報に対応したユーザーグループメンバーの電話番号情報１２３ｂと、各電話番号情報に対応した発信ボタン１２３ｃとを表示する。発信ボタンが操作されると、ユーザー端末が、電話番号情報に基づいて通信回線を用いて相手側端末へ向けて発信する。【選択図】図１
2020188313.tif 000002
【特許請求の範囲】
【請求項１】
サーバに保存されたユーザーグループメンバーの連絡先情報をユーザー端末において表示する組織アドレス帳システムであって、
前記ユーザー端末の表示部に表示されるブラウザが、前記サーバのデータベースに基づいてユーザーグループメンバーの連絡先情報を有した組織アドレスリスト画面を表示し、
前記組織アドレスリスト画面が、前記ユーザーグループメンバーの名前情報と、各名前情報に対応したユーザーグループメンバーの電話番号情報と、各電話番号情報に対応した発信ボタンとを表示し、
前記発信ボタンが操作されると、前記ユーザー端末が、前記電話番号情報に基づいて通信回線を用いて相手側端末へ向けて発信する構成であることを特徴とする組織アドレス帳システム。
【請求項２】
前記組織アドレスリスト画面におけるユーザーグループメンバーの名前情報の箇所が操作されると、操作された名前情報の箇所に対応するユーザーグループメンバーの名前情報、会社名情報、電話番号情報、電子メールアドレス情報および顔写真情報を含むメンバー属性情報ならびに電話番号情報に対応した発信ボタンを有したメンバー詳細情報画面が、ポップアップ形式でブラウザに表示され、
前記発信ボタンが操作されると、前記ユーザー端末が、前記電話番号情報に基づいて通信回線を用いて相手側端末へ向けて発信する構成であることを特徴とする請求項１に記載の組織アドレス帳システム。
【請求項３】
前記ユーザー端末において電話着信があったとき、発信元の電話番号情報に基づいて対応するメンバー詳細情報画面が、ポップアップ形式でブラウザに表示される構成であることを特徴とする請求項２に記載の組織アドレス帳システム。
【請求項４】
サーバに保存されたユーザーグループメンバーの連絡先情報をユーザー端末において表示する組織アドレス帳システムのプログラムであって、
前記ユーザー端末の表示部に表示されるブラウザが、前記サーバのデータベースに基づいてユーザーグループメンバーの連絡先情報を有した組織アドレスリスト画面を表示し、前記組織アドレスリスト画面が、前記ユーザーグループメンバーの名前情報と、各名前情報に対応したユーザーグループメンバーの電話番号情報と、各電話番号情報に対応した発信ボタンとを表示する構成において、
前記発信ボタンの操作の有無を判定する発信操作有無判定ステップと、
前記発信ボタンの操作ありのとき、前記ユーザー端末が、前記電話番号情報に基づいて通信回線を用いて相手側端末へ向けて発信する発信ステップとを具備していることを特徴とする組織アドレス帳システムのプログラム。
【発明の詳細な説明】
【技術分野】
【０００１】
本発明は、サーバに保存されたユーザーグループメンバーの連絡先情報をユーザー端末において表示する組織アドレス帳システム、および、そのプログラムに関する。
【背景技術】
【０００２】
従来、タッチスクリーンと、タッチスクリーンの縁に沿って並ぶ複数のソフトウェアキーと、アドレス帳データを記憶するストレージと、電話通信する通信ユニットと、コントローラとを備えた電子機器が知られている（例えば、特許文献１参照）。
【先行技術文献】
【特許文献】
【０００３】
【特許文献１】特開２０１８−１２１２７４号公報（特に、段落００３５、段落００４８、図４参照）
【発明の概要】
【発明が解決しようとする課題】
【０００４】
しかしながら、上述した従来の電子機器は、通話相手に関するアドレス情報を含むアドレス帳データをただ単に表示する構成であったため、ユーザーは通話相手の電話番号をわざわざ入力して発信操作をしなければならないという問題があった。
【０００５】
そこで、本発明は、前述したような従来技術の問題を解決するものであって、すなわち、本発明の目的は、ユーザーはワンアクションで所望のユーザーグループメンバーの端末である相手側端末へ向けて簡単に発信して電話をかけることができる組織アドレス帳システム、およびそのプログラムを提供することである。
【課題を解決するための手段】
【０００６】
本請求項１に係る発明は、サーバに保存されたユーザーグループメンバーの連絡先情報をユーザー端末において表示する組織アドレス帳システムであって、前記ユーザー端末の表示部に表示されるブラウザが、前記サーバのデータベースに基づいてユーザーグループメンバーの連絡先情報を有した組織アドレスリスト画面を表示し、前記組織アドレスリスト画面が、前記ユーザーグループメンバーの名前情報と、各名前情報に対応したユーザーグループメンバーの電話番号情報と、各電話番号情報に対応した発信ボタンとを表示し、前記発信ボタンが操作されると、前記ユーザー端末が、前記電話番号情報に基づいて通信回線を用いて相手側端末へ向けて発信する構成であることにより、前述した課題を解決するものである。
【０００７】
本請求項２に係る発明は、請求項１に記載された組織アドレス帳システムの構成に加えて、前記組織アドレスリスト画面におけるユーザーグループメンバーの名前情報の箇所が操作されると、操作された名前情報の箇所に対応するユーザーグループメンバーの名前情報、会社名情報、電話番号情報、電子メールアドレス情報および顔写真情報を含むメンバー属性情報ならびに電話番号情報に対応した発信ボタンを有したメンバー詳細情報画面が、ポップアップ形式でブラウザに表示され、前記発信ボタンが操作されると、前記ユーザー端末が、前記電話番号情報に基づいて通信回線を用いて相手側端末へ向けて発信する構成であることにより、前述した課題をさらに解決するものである。
【０００８】
本請求項３に係る発明は、請求項２に記載された組織アドレス帳システムの構成に加えて、前記ユーザー端末において電話着信があったとき、発信元の電話番号情報に基づいて対応するメンバー詳細情報画面が、ポップアップ形式でブラウザに表示される構成であることにより、前述した課題をさらに解決するものである。
【０００９】
本請求項４に係る発明は、サーバに保存されたユーザーグループメンバーの連絡先情報をユーザー端末において表示する組織アドレス帳システムのプログラムであって、前記ユーザー端末の表示部に表示されるブラウザが、前記サーバのデータベースに基づいてユーザーグループメンバーの連絡先情報を有した組織アドレスリスト画面を表示し、前記組織アドレスリスト画面が、前記ユーザーグループメンバーの名前情報と、各名前情報に対応したユーザーグループメンバーの電話番号情報と、各電話番号情報に対応した発信ボタンとを表示する構成において、前記発信ボタンの操作の有無を判定する発信操作有無判定ステップと、前記発信ボタンの操作ありのとき、前記ユーザー端末が、前記電話番号情報に基づいて通信回線を用いて相手側端末へ向けて発信する発信ステップとを具備していることにより、前述した課題を解決するものである。
【発明の効果】
【００１０】
本発明の組織アドレス帳システムは、ユーザーグループメンバーの連絡先情報を保存するサーバと、サーバと通信自在なユーザー端末とを備えることにより、サーバに保存されたユーザーグループメンバーの連絡先情報をユーザー端末において表示することができるばかりでなく、以下のような特有の効果を奏することができる。
【００１１】
本請求項１に係る発明の組織アドレス帳システムによれば、ユーザーが所望のユーザーグループメンバーに対応する発信ボタンを押す操作・クリック操作・タップ操作するだけでそのユーザーグループメンバーの電話番号情報が読み込まれて電話回線を用いて発信されるため、ユーザーはワンアクションで所望のユーザーグループメンバーの端末である相手側端末へ向けて簡単に発信して電話をかけることができる。
【００１２】
本請求項２に係る発明の組織アドレス帳システムによれば、請求項１に係る発明が奏する効果に加えて、ユーザーが組織アドレスリスト画面において複数の名前から選択して名前情報の箇所を押す操作・クリック操作・タップ操作するだけでそのユーザーグループメンバーについてのメンバー詳細情報画面が表示されるため、ユーザーはそのユーザーグループメンバーの顔写真情報を見て電話する相手を簡単に確認することができる。
さらに、メンバー詳細情報画面における発信ボタンを操作するだけでそのユーザーグループメンバーの電話番号情報が読み込まれて電話回線を用いて発信されるため、ユーザーはワンアクションまたはツーアクションで所望のユーザーグループメンバーに簡単に発信して電話をかけることができる。
【００１３】
本請求項３に係る発明の組織アドレス帳システムによれば、請求項２に係る発明が奏する効果に加えて、メンバー詳細情報画面が表示されてユーザーグループメンバーの名前情報、会社名情報や顔写真情報も表示されるため、ユーザーはユーザー端末を用いて別の作業をしている場合であっても誰からの電話を着信したかを瞬時に理解することができる。
【００１４】
本請求項４に係る発明の組織アドレス帳システムのプログラムによれば、請求項１に係る発明が奏する効果と同様、ユーザーが所望のユーザーグループメンバーに対応する発信ボタンを押す操作・クリック操作・タップ操作するだけでそのユーザーグループメンバーの電話番号情報が読み込まれて電話回線を用いて発信されるため、ユーザーはワンアクションで所望のユーザーグループメンバーの端末である相手側端末へ向けて簡単に発信して電話をかけることができる。
【図面の簡単な説明】
【００１５】
【図１】本発明の実施例である組織アドレス帳システムの概略を示す図。
【図２】（Ａ）（Ｂ）は本発明の実施例である組織アドレス帳システムの動作を示すチャート図。
【図３】本発明の実施例である組織アドレス帳システムの組織アドレスリスト画面を示す図。
【図４】本発明の実施例である組織アドレス帳システムのメンバー詳細情報画面を示す図。
【図５】本発明の実施例である組織アドレス帳システムの電話着信時のメンバー詳細情報画面を示す図。
【発明を実施するための形態】
【００１６】
本発明の組織アドレス帳システムは、サーバとユーザー端末とを備え、ユーザー端末の表示部に表示されるブラウザが、サーバのデータベースに基づいてユーザーグループメンバーの連絡先情報を有した組織アドレスリスト画面を表示し、組織アドレスリスト画面が、ユーザーグループメンバーの名前情報と、各名前情報に対応したユーザーグループメンバーの電話番号情報と、各電話番号情報に対応した発信ボタンとを表示し、発信ボタンが操作されると、ユーザー端末が、電話番号情報に基づいて通信回線を用いて相手側端末へ向けて発信する構成であることにより、ユーザーはワンアクションで所望のユーザーグループメンバーの端末である相手側端末へ向けて簡単に発信して電話をかけることができるものであれば、その具体的な実施態様は、如何なるものであっても構わない。
また、本発明の組織アドレス帳システムのプログラムは、ユーザー端末の表示部に表示されるブラウザが、サーバのデータベースに基づいてユーザーグループメンバーの連絡先情報を有した組織アドレスリスト画面を表示し、組織アドレスリスト画面が、ユーザーグループメンバーの名前情報と、各名前情報に対応したユーザーグループメンバーの電話番号情報と、各電話番号情報に対応した発信ボタンとを表示する構成において、発信ボタンの操作の有無を判定する発信操作有無判定ステップと、発信ボタンの操作ありのとき、ユーザー端末が、電話番号情報に基づいて通信回線を用いて相手側端末へ向けて発信する発信ステップとを具備していることにより、ユーザーはワンアクションで所望のユーザーグループメンバーの端末である相手側端末へ向けて簡単に発信して電話をかけることができるものであれば、その具体的な実施態様は、如何なるものであっても構わない。
【００１７】
例えば、ユーザー端末は、デスクトップ型パーソナルコンピュータ端末、ノート型パーソナルコンピュータ端末、スマートフォン端末、タブレット端末など表示部と操作部とを有して情報を送受信するものであって、所謂インターネットである広域ネットワーク、ローカルネットワーク、電話回線などを含む通信ネットワークによりサーバと接続自在なものであれば如何なるものであっても構わない。
相手側端末は、ユーザー端末と同様、デスクトップ型パーソナルコンピュータ端末、ノート型パーソナルコンピュータ端末、スマートフォン端末、タブレット端末など表示部と操作部とを有して情報を送受信するものであって、所謂インターネットである広域ネットワーク、ローカルネットワーク、電話回線などを含む通信ネットワークによりサーバと接続自在なものでもよいし、固定電話機や移動式携帯電話機でもよい。
また、サーバは、１つのサーバやクラウド上の複数のサーバでもよい。
【実施例】
【００１８】
以下に、本発明の実施例である組織アドレス帳システム１００について、図１乃至図４に基づいて説明する。
ここで、図１は、本発明の実施例である組織アドレス帳システム１００の概略を示す図であり、図２（Ａ）は、本発明の実施例である組織アドレス帳システム１００の電話発信の際の動作を示すチャート図であり、図２（Ｂ）は、本発明の実施例である組織アドレス帳システム１００の電話着信の際の動作を示すチャート図であり、図３は、本発明の実施例である組織アドレス帳システム１００の組織アドレスリスト画面１２３を示す図であり、図４は、本発明の実施例である組織アドレス帳システム１００のメンバー詳細情報画面１２４を示す図であり、図５は、本発明の実施例である組織アドレス帳システム１００の電話着信時のメンバー詳細情報画面１２５を示す図である。
【００１９】
本発明の実施例である組織アドレス帳システム１００は、図１に示すように、サーバ１１０と、ユーザー端末の一例であるノート型コンピュータ端末１２０とを備えている。
このうち、サーバ１１０は、ユーザーグループメンバーの連絡先情報を保存するデータベース１１１を有している。
また、ノート型コンピュータ端末１２０は、サーバ１１０と通信自在であり、データベース１１１に保存されたユーザーグループメンバーの連絡先情報に基づいて、ユーザーグループメンバーの連絡先情報を表示部１２１に表示されるブラウザ１２２を用いて表示するように構成されている。
【００２０】
本実施例では、ユーザーのノート型コンピュータ端末１２０の表示部１２１に表示されるブラウザ１２２が、サーバ１１０のデータベース１１１に基づいてユーザーグループメンバーの連絡先情報を有した組織アドレスリスト画面１２３を表示するように構成されている。
さらに、組織アドレスリスト画面１２３が、ユーザーグループメンバーの名前情報１２３ａと、各名前情報１２３ａに対応したユーザーグループメンバーの電話番号情報１２３ｂと、各電話番号情報１２３ｂに対応した発信ボタン１２３ｃとを表示するように構成されている。
【００２１】
そして、発信ボタン１２３ｃが操作されると、ユーザーのノート型コンピュータ端末１２０が、電話番号情報１２３ｂに基づいて通信回線を用いて相手側端末（固定電話機など）へ向けて発信するように構成されている。
これにより、ユーザーが所望のユーザーグループメンバーに対応する発信ボタン１２３ｃを押す操作・クリック操作・タップ操作するだけでそのユーザーグループメンバーの電話番号情報１２３ｂが読み込まれて電話回線を用いて発信される。
その結果、ユーザーはワンアクションで所望のユーザーグループメンバーの端末である相手側端末（固定電話機など）へ向けて簡単に発信して電話をかけることができる。
【００２２】
例えば、組織アドレスリスト画面１２３が、ユーザーグループメンバーの名前情報１２３ａとして「鈴木一郎」、「田中次郎」などの名前情報１２３ａ、これらのメンバーの会社の電話番号情報１２３ｂおよび会社名情報１２３ｄを表示するとともに、各電話番号情報１２３ｂに対応した発信ボタン１２３ｃを表示している。
そして、ユーザーである中村ローザさんが、田中次郎さんに電話しようとする。
このとき、ユーザーは、組織アドレスリスト画面１２３において、マウスを操作してカーソルを田中次郎さんの電話番号情報１２３ｂに対応した発信ボタン１２３ｃに重ねるように移動させ、発信ボタン１２３ｃを押す、クリック、ダブルクリックなどの操作をする。
【００２３】
すると、ユーザーのノート型コンピュータ端末１２０が、電話番号情報１２３ｂに基づいて通信回線を用いて相手側端末の一例である田中次郎さんの電話機へ向けて発信する。
田中次郎さんが電話で応答することにより、中村ローザさんは、例えばヘッドセットを用いて田中次郎さんと通話することができる。
なお、中村ローザさんがヘッドセットに代えて、ユーザーである中村ローザさんのノート型コンピュータ端末１２０のマイクおよびスピーカを用いて通話してもよいのは勿論である。
【００２４】
続いて、組織アドレス帳システム１００のプログラムの電話発信の際の動作について説明する。
ユーザーである中村ローザさんが、ノート型コンピュータ端末１２０においてブラウザ１２２を起動させて、組織アドレス帳システム１００にＩＤやパスワードを入力してログインする。
すると、ノート型コンピュータ端末１２０のブラウザ１２２に組織アドレスリスト画面１２３が表示される。
【００２５】
図２（Ａ）に示すように、ステップＳ１では、発信操作有無判定ステップとして、ノート型コンピュータ端末１２０の制御部（組織アドレス帳システム１００のプログラム）が、発信ボタン１２３ｃの操作の有無を判定する。
発信ボタン１２３ｃの操作ありと判定した場合はステップＳ２へ進み、他方、まだ操作なしと判定した場合はステップＳ１を繰り返す。
例えば、中村ローザさんが、ノート型コンピュータ端末１２０のブラウザ１２２に表示された組織アドレスリスト画面１２３において、田中次郎さんの電話番号情報１２３ｂに対応する発信ボタン１２３ｃを押したとする。
【００２６】
ステップＳ２では、発信ステップとして、ユーザーである中村ローザさんのノート型コンピュータ端末１２０が、電話番号情報１２３ｂに基づいて通信回線を用いて相手側端末である田中次郎さんの電話機へ向けて発信する。
田中次郎さんの電話機において、田中次郎さんが「通話」ボタンを押すなどの電話応答の操作をすると通話状態になる。
これにより、前述したように、ユーザーである中村ローザさんが所望のユーザーグループメンバーである田中次郎さんに対応する発信ボタン１２３ｃを押す操作・クリック操作・タップ操作するだけでそのユーザーグループメンバーである田中次郎さんの電話番号情報１２３ｂが読み込まれて電話回線を用いて発信される。
その結果、ユーザーである中村ローザさんはワンアクションで所望のユーザーグループメンバーの端末である相手側端末の一例として田中次郎さんの電話機へ向けて簡単に発信して電話をかけることができる。
【００２７】
続いて、本実施例の組織アドレス帳システム１００の組織アドレスリスト画面１２３についてより詳しく説明する。
図３に示すように、組織アドレスリスト画面１２３は、一例として、氏名、氏名のふりがな（かな）、メールアドレス、会社電話番号、内線、会社名の項目を有している。
そして、各ユーザーグループメンバーについて、各項目の情報が表示されている。
氏名および氏名のふりがなの項目には、各ユーザーグループメンバーの名前情報１２３ａが表示されている。
メールアドレスの項目には、各ユーザーグループメンバーの電子メールアドレス情報１２３ｅが表示されている。
【００２８】
会社電話番号の項目には、各ユーザーグループメンバーの電話番号情報１２３ｂが表示されている。
内線の項目には、各ユーザーグループメンバーの電話の内線番号情報が表示されている。
会社名の項目には、各ユーザーグループメンバーの会社名情報１２３ｄが表示されている。
ユーザーグループメンバーのメンバー構成については、同じ会社内に限らず、営業先や取引先の担当者がメンバーに入るなど会社外のメンバーが含まれていてもよい。
つまり、少なくとも名前情報１２３ａおよび電話番号情報１２３ｂがセットで、ユーザーグループメンバーとして登録されていればよい。
【００２９】
また、本実施例では、各電話番号情報１２３ｂに対応した発信ボタン１２３ｃが表示されている。
前述したように、発信ボタン１２３ｃが操作されると、ユーザーのノート型コンピュータ端末１２０が、電話番号情報１２３ｂに基づいて通信回線を用いて相手側端末の一例である電話機へ向けて発信するように構成されている。
【００３０】
さらに、組織アドレスリスト画面１２３におけるユーザーグループメンバーの名前情報１２３ａの箇所が操作されたとする。
例えば、「鈴木一郎」の箇所が、クリック操作・タップ操作されたとする。
すると、図４に示すように、操作された名前情報１２３ａである「鈴木一郎」の箇所に対応するメンバー詳細情報画面１２４が、ポップアップ形式でブラウザ１２２に表示されるように構成されている。
メンバー詳細情報画面１２４には、ユーザーグループメンバーである「鈴木一郎」についての名前情報１２４ａ、所属する会社名情報１２４ｂ、電話番号情報１２４ｃ、電子メールアドレス情報１２４ｄおよび顔写真情報１２４ｅを含むメンバー属性情報ならびに電話番号情報１２４ｃに対応した発信ボタン１２４ｆが表示されている。
また、本実施例では、内線番号情報、そのメンバーが所属する部門情報、そのメンバーが所属する課情報、そのメンバーが所属するグループ情報も表示されるように構成されている。
【００３１】
さらに、本実施例では、メンバー詳細情報画面１２４の発信ボタン１２４ｆが操作されると、ユーザーのノート型コンピュータ端末１２０が、電話番号情報１２４ｃに基づいて通信回線を用いて相手側端末の一例である鈴木一郎さんの端末へ向けて発信するように構成されている。
これにより、ユーザーである中村ローザが組織アドレスリスト画面１２３において複数の名前から選択して名前情報１２３ａの箇所を押す操作・クリック操作・タップ操作するだけでそのユーザーグループメンバーについてのメンバー詳細情報画面１２４が表示される。
その結果、ユーザーである中村ローザはそのユーザーグループメンバーの顔写真情報１２４ｅを見て電話する相手（鈴木一郎さん）を簡単に確認することができる。
【００３２】
さらに、メンバー詳細情報画面１２４における発信ボタン１２４ｆを操作するだけでそのユーザーグループメンバーの電話番号情報１２４ｃが読み込まれて電話回線を用いて発信される。
その結果、ユーザーである中村ローザはワンアクションまたはツーアクションで所望のユーザーグループメンバー（鈴木一郎さん）に簡単に発信して電話をかけることができる。
【００３３】
続いて、電話着信について説明する。
図５に示すように、ユーザー端末の一例である中村ローザさんのノート型コンピュータ端末１２０では、制御部が発信元の電話番号などの情報を含む着信信号に基づいてユーザーグループメンバーの一例である田中次郎さんから着信ありと判定し、発信元の電話番号などの情報に基づいて対応する電話着信時のメンバー詳細情報画面１２５を、表示部１２１においてポップアップ形式でブラウザ１２２に表示するように構成されている。
ここで、電話着信時のメンバー詳細情報画面１２５は、ユーザーグループメンバーの名前情報１２５ａ、会社名情報１２５ｂ、電話番号情報１２５ｃ、電子メールアドレス情報１２５ｄおよび顔写真情報１２５ｅを含むメンバー属性情報ならびに電話番号情報１２５ｃに対応した発信ボタン１２５ｆを有している。
さらに、電話着信時のメンバー詳細情報画面１２５は、通話ボタン１２５ｇを有している。
電話着信時のメンバー詳細情報画面１２５は、基本的にメンバー詳細情報画面１２４と同じ構成でもよいが、メンバー詳細情報画面１２４に電話着信中の旨の表示および通話ボタン１２５ｇを追加した構成とすることが望ましい。
ユーザーが、電話着信中であることを瞬時に理解するとともに、通話ボタン１２５ｇを押して電話に応答することができるからである。
【００３４】
これにより、電話着信時のメンバー詳細情報画面１２５が表示されてユーザーグループメンバーの名前情報１２５ａとして田中次郎さんの名前、会社名情報１２５ｂや顔写真情報１２５ｅとして田中次郎さんの顔写真も表示される。
その結果、ユーザーの一例である中村ローザさんはノート型コンピュータ端末１２０を用いて別の作業をしている場合であっても田中次郎さんからの電話を着信したことを瞬時に理解することができる。
ユーザーの一例である中村ローザさんは、一例として電話着信時のメンバー詳細情報画面１２５に表示された「通話」ボタンを押すことにより、例えばヘッドセットを用いて通話することができる。
なお、中村ローザさんがヘッドセットに代えて、中村ローザさんのノート型コンピュータ端末１２０のマイクおよびスピーカを用いて通話してもよいのは勿論である。
【００３５】
続いて、組織アドレス帳システム１００のプログラムの電話着信の際の動作について説明する。
図５に示すように、着信側である中村ローザさんが、中村ローザさんのノート型コンピュータ端末１２０において別の作業をしていたとする。
図２（Ｂ）に示すように、ステップＳ１１では、着信有無判定ステップとして、ノート型コンピュータ端末１２０の制御部（組織アドレス帳システム１００のプログラム）が、他のユーザーグループメンバーの端末からの電話着信の有無を判定する。
電話着信ありと判定した場合はステップＳ１２へ進み、他方、まだ着信なしと判定した場合はステップＳ１１を繰り返す。
【００３６】
例えば、中村ローザさんのノート型コンピュータ端末１２０において田中次郎さんの電話機からの着信があったとする。
ここで、着信信号には、発信元の情報が含まれているため、着信側の端末は、データベース１１１に保存されたユーザーグループメンバーの連絡先情報を参照することにより、誰から着信があったか（誰が発信元であるか）を判別することができる。
【００３７】
ステップＳ１２では、着信通知ポップアップステップとして、ノート型コンピュータ端末１２０の制御部（組織アドレス帳システム１００のプログラム）が、ノート型コンピュータ端末１２０の表示部１２１のブラウザ１２２において、田中次郎さんについてのメンバー詳細情報画面１２５をポップアップ形式で表示する。
これにより、前述したように、着信側の一例である中村ローザさんのノート型コンピュータ端末１２０において、メンバー詳細情報画面１２５が表示されてユーザーグループメンバーの名前情報１２５ａとして田中次郎さんの名前、会社名情報１２５ｂや顔写真情報１２５ｅとして田中次郎さんの顔写真も表示される。
【００３８】
その結果、着信側の一例である中村ローザさんはノート型コンピュータ端末１２０を用いて別の作業をしている場合であっても田中次郎さんからの電話を着信したことを瞬時に理解することができる。
【００３９】
なお、本実施例において、発信ボタン１２３ｃ、１２４ｆ、１２５ｆを、電話の受話器のピクトグラムのようなデザインを有したボタンで表示したが、操作されたときに発信のトリガーとなればよく、電話番号の表示自体をリンクボタンのように発信ボタン１２３ｃ、１２４ｆ、１２５ｆにしてもよい。
【００４０】
このようにして得られた本発明の実施例である組織アドレス帳システム１００は、サーバ１１０とユーザー端末の一例であるノート型コンピュータ端末１２０とを備え、ユーザーのノート型コンピュータ端末１２０の表示部１２１に表示されるブラウザ１２２が、サーバ１１０のデータベース１１１に基づいてユーザーグループメンバーの連絡先情報を有した組織アドレスリスト画面１２３を表示し、組織アドレスリスト画面１２３が、ユーザーグループメンバーの名前情報１２３ａと、各名前情報１２３ａに対応したユーザーグループメンバーの電話番号情報１２３ｂと、各電話番号情報１２３ｂに対応した発信ボタン１２３ｃとを表示し、発信ボタン１２３ｃが操作されると、ユーザーのノート型コンピュータ端末１２０が、電話番号情報１２３ｂに基づいて通信回線を用いて相手側端末の一例である電話機へ向けて発信する構成であることにより、ユーザーはワンアクションで所望のユーザーグループメンバーの端末である相手側端末の一例である電話機へ向けて簡単に発信して電話をかけることができる。
【００４１】
さらに、組織アドレスリスト画面１２３におけるユーザーグループメンバーの名前情報１２３ａの箇所が操作されると、操作された名前情報１２３ａの箇所に対応するユーザーグループメンバーの名前情報１２４ａ、会社名情報１２４ｂ、電話番号情報１２４ｃ、電子メールアドレス情報１２４ｄおよび顔写真情報１２４ｅを含むメンバー属性情報ならびに電話番号情報１２４ｃに対応した発信ボタン１２４ｆを有したメンバー詳細情報画面１２４が、ポップアップ形式でブラウザ１２２に表示され、発信ボタン１２４ｆが操作されると、ユーザーのノート型コンピュータ端末１２０が、電話番号情報１２４ｃに基づいて通信回線を用いて相手側端末の一例である電話機へ向けて発信する構成であることにより、ユーザーはそのユーザーグループメンバーの顔写真情報１２４ｅを見て電話する相手を簡単に確認することができ、ユーザーはワンアクションまたはツーアクションで所望のユーザーグループメンバーに簡単に発信して電話をかけることができる。
【００４２】
また、ユーザーのノート型コンピュータ端末１２０において電話着信があったとき、発信元の電話番号情報に基づいて対応する電話着信時のメンバー詳細情報画面１２５が、ポップアップ形式でブラウザ１２２に表示される構成であることにより、ユーザーはユーザーのノート型コンピュータ端末１２０を用いて別の作業をしている場合であっても誰からの電話を着信したかを瞬時に理解することができる。
【００４３】
また、本発明の実施例である組織アドレス帳システム１００のプログラムは、ユーザーのノート型コンピュータ端末１２０の表示部１２１に表示されるブラウザ１２２が、サーバ１１０のデータベース１１１に基づいてユーザーグループメンバーの連絡先情報を有した組織アドレスリスト画面１２３を表示し、組織アドレスリスト画面１２３が、ユーザーグループメンバーの名前情報１２３ａと、各名前情報１２３ａに対応したユーザーグループメンバーの電話番号情報１２３ｂと、各電話番号情報１２３ｂに対応した発信ボタン１２３ｃとを表示する構成において、発信ボタン１２３ｃの操作の有無を判定する発信操作有無判定ステップＳ１と、発信ボタン１２３ｃの操作ありのとき、ユーザーのノート型コンピュータ端末１２０が、電話番号情報１２３ｂに基づいて通信回線を用いて相手側端末の一例である電話機へ向けて発信する発信ステップＳ２とを具備していることにより、ユーザーはワンアクションで所望のユーザーグループメンバーの端末である相手側端末の一例である電話機へ向けて簡単に発信して電話をかけることができるなど、その効果は甚大である。
【符号の説明】
【００４４】
１００  ・・・  組織アドレス帳システム
１１０  ・・・  サーバ
１１１  ・・・  データベース
１２０  ・・・  ノート型コンピュータ端末（ユーザー端末）
１２１  ・・・  表示部
１２２  ・・・  ブラウザ
１２３  ・・・  組織アドレスリスト画面
１２３ａ・・・  名前情報
１２３ｂ・・・  電話番号情報
１２３ｃ・・・  発信ボタン
１２３ｄ・・・  会社名情報
１２３ｅ・・・  電子メールアドレス情報
１２４  ・・・  メンバー詳細情報画面
１２４ａ・・・  名前情報（メンバー属性情報）
１２４ｂ・・・  会社名情報（メンバー属性情報）
１２４ｃ・・・  電話番号情報（メンバー属性情報）
１２４ｄ・・・  電子メールアドレス情報（メンバー属性情報）
１２４ｅ・・・  顔写真情報（メンバー属性情報）
１２４ｆ・・・  発信ボタン
１２５  ・・・  （電話着信時の）メンバー詳細情報画面
１２５ａ・・・  名前情報（メンバー属性情報）
１２５ｂ・・・  会社名情報（メンバー属性情報）
１２５ｃ・・・  電話番号情報（メンバー属性情報）
１２５ｄ・・・  電子メールアドレス情報（メンバー属性情報）
１２５ｅ・・・  顔写真情報（メンバー属性情報）
１２５ｆ・・・  発信ボタン
１２５ｇ・・・  通話ボタン
【図１】
2020188313.tif 000003
【図２】
2020188313.tif 000004
【図３】
2020188313.tif 000005
【図４】
2020188313.tif 000006
【図５】
2020188313.tif 000007